(57)【要約】【課題】制御信号の判別のための回路の複雑化を招くことなく、制御信号のために占有する汎用の入出力ピンの数を低減する。【解決手段】制御信号受信手段（装置側制御手段５とオン時用電源９）のそれぞれに対応する制御信号を、立ち上がりエッジ、または立ち下がりエッジ、またはＨレベル、またはＬレベル、または所定範囲の幅のパルスのうちの１つに対応付けるとともに、制御信号受信手段のそれぞれに対応付けられた制御信号を互いに異ならせる。そして、制御信号受信手段のそれぞれは、対応付けられた制御信号が制御用信号線４０に送出されたことを検出したときには、制御信号非出力状態に対応する状態から制御信号出力状態に対応する状態に移行する。【選択図】  図１
2004348781.tif 000002
【特許請求の範囲】
【請求項１】
ＤＶＤを再生した信号を復調することにより得られたデジタル信号を伸長するＡＶデコーダと同一のＩＣ素子内に集積化され、ＡＶデコーダ等の制御を行うデコーダ側制御手段と、
少なくともＡＶデコーダとデコーダ側制御手段とに動作電源を供給する主回路用電源と、
電源オン時にのみオン状態に設定されるオン時用電源と、
リモートコントローラに入力された指示に対応してデコーダ側制御手段に指示を与える装置側制御手段とを備え、
デコーダ側制御手段とオン時用電源と装置側制御手段とは、ＨレベルとＬレベルとの２種のレベルに変化する信号である２値信号が送出される制御用信号線に接続され、
装置側制御手段は制御用信号線に送出された２値信号に立ち下がりエッジが現れたときにはデコーダ側制御手段が指示の受け付けが可能になったと判定し、オン時用電源は制御用信号線に送出された２値信号がＨレベルとなるときにはオン状態となるＤＶＤ再生装置であって、
デコーダ側制御手段は、主回路用電源から動作電源の供給を受けて動作状態に移行したときには、制御用信号線に送出する２値信号のレベルをＨレベルからＬレベルに変化させることでもって装置側制御手段に指示の受け付けが可能になったことを知らせた後、装置側制御手段から電源オンの指示を与えられたときには、制御用信号線に送出する２値信号のレベルをＬレベルからＨレベルとすることによってオン時用電源をオフ状態からオン状態に移行させることを特徴とするＤＶＤ再生装置。
【請求項２】
制御信号出力手段と複数の制御信号受信手段とを備え、
制御信号出力手段と複数の制御信号受信手段とは、ともに１本の制御用信号線に接続され、
制御信号出力手段は、ＨレベルとＬレベルとの２種のレベルに変化する信号である２値信号を制御用信号線に送出することでもって、複数の制御信号受信手段のそれぞれに対して、制御信号が出力された状態である制御信号出力状態となっているのか、あるいは制御信号が出力されない状態である制御信号非出力状態になっているのかを示す電子装置であって、
複数の制御信号受信手段のそれぞれに対応する制御信号を、２値信号における立ち上がりエッジ、または２値信号における立ち下がりエッジ、または２値信号におけるＨレベル、または２値信号におけるＬレベル、または２値信号における所定範囲の幅のパルスのうちの１つに対応付けるとともに、複数の制御信号受信手段のそれぞれに対応付けられた制御信号を互いに異ならせ、
複数の制御信号受信手段のそれぞれは、対応付けられた制御信号が制御用信号線に送出されたことを検出したときには、制御信号非出力状態に対応する状態から制御信号出力状態に対応する状態に移行することを特徴とする電子装置。
【請求項３】
制御信号受信手段の数を第１の制御信号受信手段と第２の制御信号受信手段との２つとし、
第１の制御信号受信手段の制御信号には２値信号における立ち下がりエッジを対応付け、第２の制御信号受信手段の制御信号には２値信号におけるＨレベルを対応付けたことを特徴とする請求項２記載の電子装置。
【請求項４】
制御信号受信手段の数を第１の制御信号受信手段と第２の制御信号受信手段との２つとし、
第１の制御信号受信手段の制御信号には２値信号における立ち上がりエッジを対応付け、第２の制御信号受信手段には２値信号における立ち下がりエッジを対応付けたことを特徴とする請求項２記載の電子装置。
【請求項５】
制御信号受信手段の数を第１の制御信号受信手段と第２の制御信号受信手段と第３の制御信号受信手段との３つとし、
第１の制御信号受信手段の制御信号には２値信号における立ち上がりエッジを対応付け、第２の制御信号受信手段の制御信号には２値信号における立ち下がりエッジを対応付け、第３の制御信号受信手段の制御信号には２値信号における所定幅より広いパルスを対応付けたことを特徴とする請求項２記載の電子装置。
【発明の詳細な説明】
【０００１】
【発明の属する技術分野】
本発明は、制御を行う側のブロックと制御される側の複数のブロックとが１本の制御用の信号線に接続されたＤＶＤ再生装置および電子装置に関するものである。
【０００２】
【従来の技術】
マイクロコンピュータを制御手段に用いた電子装置においては、制御対象となるブロックにマイクロコンピュータからの信号線を接続することでもって、マイクロコンピュータから送出される制御信号を、対象となるブロックに伝えるようになっている。すなわち、図８に構成を示したＤＶＤ再生装置においては、デコーダ側制御手段１５が、オン時用電源９のオンオフを制御するようになっている。このため、デコーダ側制御手段１５とオン時用電源９との間に信号線４１が設けられている。また、デコーダ側制御手段１５は、動作電源の供給を受けて動作状態に移行したときには、装置側制御手段５に対し、装置側制御手段５が送出する指示の受け付けが可能になったことを知らせるようになっている。このため、デコーダ側制御手段１５と装置側制御手段５との間に信号線４２が設けられている。また、装置側制御手段５は、デコーダ側制御手段１５に、リモートコントローラ１０に入力された指示に対応した動作を開始させるための指示等をデコーダ側制御手段１５に与えるようになっている。このため、装置側制御手段５とデコーダ側制御手段１５との間に、通信用の信号線４３が設けられている。
【０００３】
従って、電源オフ状態にあることから、オン時用電源９や主回路用電源６がオフ状態にあるときに、リモートコントローラ１０に電源オンの指示が入力される（図２のステップＳ１により示す）と、装置側制御手段５は、主回路用電源６をオフ状態からオン状態に移行させる（ステップＳ２）。従って、デコーダ側制御手段１５には動作電源が供給され、デコーダ側制御手段１５は動作を開始する。動作を開始したデコーダ側制御手段１５は、信号線４２を介して、指示の受け付けが可能になったことを装置側制御手段５に知らせる（ステップＳ３）。この知らせを受けた装置側制御手段５は、通信用の信号線４３を介して、リモートコントローラ１０に入力された指示が電源オンであることを知らせる（ステップＳ４）。この知らせを受けると、デコーダ側制御手段１５は、信号線４１を介して、オン時用電源９をオフ状態からオン状態に移行させ（ステップＳ５）、ＤＶＤ３を再生する動作が直ちに可能となるようにする（第１の従来技術とする）。
【０００４】
また、１本の信号線に複数のブロックを接続し、ブロック間で制御の指示等を送受信する従来技術に、ＩＩＣバス等のような構成、すなわち、１本の信号線にシリアルデータを送出することでもって、送信する側から受信する側に動作の指示やデータ等を送出する構成が提案されている（第２の従来技術とする）。
【０００５】
また、以下に示す従来技術が提案されている（第３の従来技術とする）。すなわち、この技術においては、立ち上がりエッジあるいは立ち下がりエッジがただ１つ存在するデューティ５０％の複数の波形の組み合わせに１と０とを割り当てることでもって、クロックとデューティとを同時に伝送するようにしている（例えば、特許文献１参照）
【０００６】
また、１本の信号線を用いて複数の信号を伝送することを可能にする従来技術が提案されている（第４の従来技術とする）。すなわち、この技術では、送信回路には、２つの入力信号と選択信号とが入力されるようになっている。また、第１の電源の電圧と、第１の電源の電圧より低い第２の電源の電圧との間に閾値を設定した第１の駆動回路と、第２の電源の電圧と接地電位との間に閾値を設定した第２の駆動回路とを設けている。そして、第１の駆動回路の出力と第２の駆動回路の出力とを、ともに１本の信号線に接続している。一方、受信回路の側には、第１の電源の電圧と、第１の電源の電圧と接地電位との間の電圧である中間電圧との間に閾値が設定された第１の受信回路と、中間電圧と接地電位との間に閾値を設定した第２の受信回路とを設けている。そして、第１の受信回路の入力と第２の受信回路の入力とを、ともに、前記した１本の信号線に接続している。このため、選択信号を第１の駆動回路を選択するレベルとするときには、第１の駆動回路に入力された信号が第１の受信回路から出力される。また、選択信号を第２の駆動回路を選択するレベルとするときには、第２の駆動回路に入力された信号が第２の受信回路から出力される（例えば、特許文献２参照）。
【０００７】
【特許文献１】
特開平１１−３５５３６５号公報
【特許文献２】
特開平９−１０２８０３号公報
【０００８】
【発明が解決しようとする課題】
しかしながら第１の従来技術を用いた場合には、以下に示す問題を生じていた。すなわち、デコーダ側制御手段１５は、ＡＶデコーダ１３やＤ／Ａ変換回路１４とともに、ＩＣ４の内部に集積化されている。その結果、デコーダ側制御手段１５は、オン時用電源９に制御信号を送出するために、汎用の入出力ピンＰ１を占有することになる。また、装置側制御手段５に、指示の受け付けが可能になったことを知らせるため、汎用の入出力ピンＰ２を占有することになる。すなわち、電源のオフ状態からオン状態に移行するときにのみレベルが変化し、その他のときではレベルが変化しない信号、つまり、電源がオン状態となって、通常の動作が可能となった後には使用されることのない信号のために、２つの入出力ピンＰ１，Ｐ２が占有されている。つまり、入出力ピンの使用効率が悪いものとなっている。
【０００９】
その一方で、デコーダ側制御手段１５が集積化されたＩＣ４には、以前では、異なるＩＣパッケージに集積化されていた回路も、併せて集積化されるようになってきている。従って、ＩＣ４の外部に設けられる回路との接続を行う信号線の数も増加することになる。しかし、ＩＣ４に設けられるピン数については、集積化される回路の規模の増大に対して、ピン数の増加が対応していないのが現状となっている（例えば、ピン数が２０８本等のＩＣパッケージが使用されているが、集積化された回路規模からすると、ピン数は少ない）。このため、ＩＣ４の外部に設けられた回路との接続に使用する信号線の数については、抑制される傾向にある。従って、デコーダ側制御手段１５を構成するマイクロコンピュータにとっては、少ない信号線の数でもって、同じ制御を行うことが求められるようになっている。つまり、入出力ピンを効率よく使用する（同じ制御を少ない信号線でもって行う）ことが求められている。
【００１０】
第２の従来技術や第３の従来技術においては、信号経路によって伝送される信号はシリアルデータとなっている。すなわち、信号線に送出される信号は、Ｈレベルにしたこと、あるいはＬレベルにしたこと、あるいはＬレベルからＨレベルに立ち上げたこと等のように、簡単なレベル変化でもって制御の指示を伝える信号とはなっていない。つまり、簡単化された回路でもって指示内容を検出することが可能な信号とはなっていない。このため、第１の従来技術における問題点、すなわち、汎用の入出力ピンを占有する数を減らすために、信号線の数を少なくしようとする観点から見る場合では、第２の従来技術や第３の従来技術は適用することが困難となっている。
【００１１】
また、第４の従来技術においては、伝送される信号の閾値が２種類となっている。一方、マイクロコンピュータの汎用の入出力ピンの閾値は１種類となっている。このため、マイクロコンピュータの入出力ピンを占有する数を少なくしようとする観点からする場合では、第４の従来技術は適用することが困難な技術となっている。
【００１２】
本発明は上記課題を解決するため創案されたものであって、その目的は、制御信号の判別のための回路の複雑化を招くことなく、電源オン状態に移行したときにおいて好適となる制御を行うときにも、制御信号のために占有する汎用の入出力ピンの数を低減することのできるＤＶＤ再生装置を提供することにある。
【００１３】
また本発明の目的は、制御対象に対応する制御信号として、２値信号における立ち上がりエッジや立ち下がりエッジ、または２値信号におけるＨレベルやＬレベル、または２値信号における所定範囲の幅のパルスのうちの１つを対応付けるとともに、対応付けた制御信号を制御対象で互いに異ならせることにより、制御信号の判別のための回路の複雑化を招くことなく、制御信号のために占有する汎用の入出力ピンの数を低減することのできる電子装置を提供することにある。
【００１４】
また上記目的に加え、制御信号の生成を簡単化することのできる電子装置を提供することにある。
【００１５】
【課題を解決するための手段】
上記課題を解決するため本発明に係るＤＶＤ再生装置は、ＤＶＤを再生した信号を復調することにより得られたデジタル信号を伸長するＡＶデコーダと同一のＩＣ素子内に集積化され、ＡＶデコーダ等の制御を行うデコーダ側制御手段と、少なくともＡＶデコーダとデコーダ側制御手段とに動作電源を供給する主回路用電源と、電源オン時にのみオン状態に設定されるオン時用電源と、リモートコントローラに入力された指示に対応してデコーダ側制御手段に指示を与える装置側制御手段とを備え、デコーダ側制御手段とオン時用電源と装置側制御手段とは、ＨレベルとＬレベルとの２種のレベルに変化する信号である２値信号が送出される制御用信号線に接続され、装置側制御手段は制御用信号線に送出された２値信号に立ち下がりエッジが現れたときにはデコーダ側制御手段が指示の受け付けが可能になったと判定し、オン時用電源は制御用信号線に送出された２値信号がＨレベルとなるときにはオン状態となる構成としている。且つ、デコーダ側制御手段は、主回路用電源から動作電源の供給を受けて動作状態に移行したときには、制御用信号線に送出する２値信号のレベルをＨレベルからＬレベルに変化させることでもって装置側制御手段に指示の受け付けが可能になったことを知らせた後、装置側制御手段から電源オンの指示を与えられたときには、制御用信号線に送出する２値信号のレベルをＬレベルからＨレベルとすることによってオン時用電源をオフ状態からオン状態に移行させるようになっている。
【００１６】
すなわち、電源オン状態に移行したため、主回路用電源から動作電源の供給を受け、動作を開始したデコーダ側制御手段は、指示の受け付けが可能であることを装置側制御手段に知らせる通知動作を行うとともに、オン時用電源をオフ状態からオン状態に移行させる制御動作を行うが、この２種の動作のために使用される信号線の数は、１本の制御用信号線のみとなっている。
【００１７】
また本発明に係る電子装置は、制御信号出力手段と複数の制御信号受信手段とを備え、制御信号出力手段と複数の制御信号受信手段とは、ともに１本の制御用信号線に接続され、制御信号出力手段は、ＨレベルとＬレベルとの２種のレベルに変化する信号である２値信号を制御用信号線に送出することでもって、複数の制御信号受信手段のそれぞれに対して、制御信号が出力された状態である制御信号出力状態となっているのか、あるいは制御信号が出力されない状態である制御信号非出力状態になっているのかを示す構成となっている。且つ、複数の制御信号受信手段のそれぞれに対応する制御信号を、２値信号における立ち上がりエッジ、または２値信号における立ち下がりエッジ、または２値信号におけるＨレベル、または２値信号におけるＬレベル、または２値信号における所定範囲の幅のパルスのうちの１つに対応付けるとともに、複数の制御信号受信手段のそれぞれに対応付けられた制御信号を互いに異ならせ、複数の制御信号受信手段のそれぞれは、対応付けられた制御信号が制御用信号線に送出されたことを検出したときには、制御信号非出力状態に対応する状態から制御信号出力状態に対応する状態に移行するようになっている。
【００１８】
すなわち、制御用信号線に、制御しようとする制御信号受信手段に対応付けられた制御信号を送出すると、対応する制御信号受信手段が、制御信号非出力状態に対応する状態から制御信号出力状態に対応する状態に移行する。
【００１９】
また上記構成に加え、制御信号受信手段の数を第１の制御信号受信手段と第２の制御信号受信手段との２つとし、第１の制御信号受信手段の制御信号には２値信号における立ち下がりエッジを対応付け、第２の制御信号受信手段の制御信号には２値信号におけるＨレベルを対応付けている。すなわち、第１の制御信号受信手段を、制御信号非出力状態に対応する状態から制御信号出力状態に対応する状態に移行させるには、制御用信号線に立ち下がりエッジを送出するのみでよい。また、第２の制御信号受信手段を、制御信号非出力状態に対応する状態から制御信号出力状態に対応する状態に移行させるには、制御用信号線にＨレベルを送出するのみでよい。
【００２０】
また上記構成に加え、制御信号受信手段の数を第１の制御信号受信手段と第２の制御信号受信手段との２つとし、第１の制御信号受信手段の制御信号には２値信号における立ち上がりエッジを対応付け、第２の制御信号受信手段には２値信号における立ち下がりエッジを対応付けている。すなわち、第１の制御信号受信手段を、制御信号非出力状態に対応する状態から制御信号出力状態に対応する状態に移行させるには、制御用信号線に立ち上がりエッジを送出するのみでよい。また、第２の制御信号受信手段を、制御信号非出力状態に対応する状態から制御信号出力状態に対応する状態に移行させるには、制御用信号線に立ち下がりエッジを送出するのみでよい。
【００２１】
また上記構成に加え、制御信号受信手段の数を第１の制御信号受信手段と第２の制御信号受信手段と第３の制御信号受信手段との３つとし、第１の制御信号受信手段の制御信号には２値信号における立ち上がりエッジを対応付け、第２の制御信号受信手段の制御信号には２値信号における立ち下がりエッジを対応付け、第３の制御信号受信手段の制御信号には２値信号における所定幅より広いパルスを対応付けている。すなわち、第１の制御信号受信手段を、制御信号非出力状態に対応する状態から制御信号出力状態に対応する状態に移行させるには、制御用信号線に立ち上がりエッジを送出するのみでよい。また、第２の制御信号受信手段を、制御信号非出力状態に対応する状態から制御信号出力状態に対応する状態に移行させるには、制御用信号線に立ち下がりエッジを送出するのみでよい。また、第３の制御信号受信手段を、制御信号非出力状態に対応する状態から制御信号出力状態に対応する状態に移行させるには、制御用信号線に、所定幅より広いパルスを送出するのみでよい。
【００２２】
【発明の実施の形態】
以下に本発明の実施例の形態を、図面を参照しつつ説明する。
図１は、本発明に係る電子装置の第１の実施形態を適用したＤＶＤ再生装置の電気的構成を示すブロック線図であり、図８に示す従来技術と構成が同一となるブロックには、図８における符号と同一符号を付与している。
【００２３】
図において、読取機構部２は、図示されないトレイに載置されたＤＶＤ３を回転駆動するとともに、回転駆動されたＤＶＤ３に記録された情報を読み取り、信号処理回路１１に出力する。このため、ＤＶＤ３が載置されたトレイを移動させるためのトレイ用モータ２３、トレイに載置されたＤＶＤ３をチャッキングして回転駆動するディスクモータ２２、および、回転駆動されるＤＶＤ３に記録された情報を読み取るピックアップ２１を備えている。
【００２４】
信号処理回路１１は、ピックアップ２１の出力からデジタルデータを復調する。そして、復調したデジタルデータにエラー訂正を施した後、ＡＶデコーダ１３に出力する。サーボ制御回路１２は、信号処理回路１１において生成され、出力されるエラー信号に従って、ピックアップ２１内部に設けられたアクチュエータ（図示を省略）の駆動量を示す信号、ディスクモータ２２に与える電圧を示す信号を生成し、駆動回路８に出力する。
【００２５】
駆動回路８は、サーボ制御回路１２から与えられる信号に従って、ピックアップ２１内部のアクチュエータの駆動、および、ディスクモータ２２の駆動を行う。また、図示されない経路を介して導かれた信号に従い、トレイ用モータ２３を駆動する。オン時用電源９は、駆動回路８に動作電源を供給するとともに、図示されない映像信号用出力回路に動作電源を供給するブロックとなっている。
【００２６】
ＡＶデコーダ１３は、信号処理回路１１から送出されたデジタルデータを伸長することによって、デジタル映像信号とデジタル音声信号とを復調する。そして、復調したデジタル映像信号とデジタル音声信号とをＤ／Ａ変換回路１４に出力する。Ｄ／Ａ変換回路１４は、ＡＶデコーダ１３から出力されたデジタル映像信号をアナログ映像信号にＤ／Ａ変換し、出力する。また、ＡＶデコーダ１３から出力されたデジタル音声信号をアナログ音声信号にＤ／Ａ変換し、出力する。
【００２７】
デコーダ側制御手段１５はマイクロコンピュータにより構成されていて、通信線４３を介して装置側制御手段５と通信を行うことにより、装置としての動作を制御する。このため、装置側制御手段５が送出する指示に従って、ＡＶデコーダ１３の動作やオン時用電源９のオンオフを制御する。
【００２８】
詳細には、電源オフの状態において、装置側制御手段５が電源のオンを指示するときやトレイのオープンを指示するとき等では、汎用の入出力ピン（プログラムによって入力に設定したり、出力に設定したりすることが可能なピンであり、出力レベルは出力命令により設定される。また、入力されたレベルは、入力命令によって読み取られる）Ｐ１を介した制御用信号線４０を用いて、オフ状態にあるオン時用電源９をオン状態に移行させる。また、主回路用電源６がＩＣ４に動作電源の供給を開始したときには、通信線４３を介しての指示の受け付けが可能になったことを、制御用信号線４０を用いて装置側制御手段５に知らせる。
【００２９】
すなわち、デコーダ側制御手段１５は、Ｉ／Ｏポートに出力するデータに従って、ＨレベルあるいはＬレベルに変化するに過ぎない１本の制御用信号線４０を用いるのみで、オン時用電源９のオンオフの制御を行うとともに、通信線４３を介した指示の受け付けが可能になったことを装置制御手段５に通知するようになっている。
【００３０】
主回路用電源６は、信号処理回路１１、サーボ制御回路１２、ＡＶデコーダ１３、Ｄ／Ａ変換回路１４、および、デコーダ側制御手段１５からなるブロックに動作電源を供給する。なお、主回路用電源６は、本来なら電源オフ時にもオン状態に維持されるエバー系電源となっているが、電源オフ時の消費電力を少なくするため、電源オフ時にはオフ状態に設定される。
【００３１】
入力回路７は、装置本体の前面パネルに設けられた電源キー等の複数のキースイッチ（図示を省略）や、リモートコントローラ１０からの赤外線を受光する受光ユニット等からなっていて、ユーザの指示が入力される。また、入力されたユーザの指示は、装置側制御手段５に出力される。
【００３２】
装置側制御手段５はマイクロコンピュータにより構成されていて、ＤＶＤ再生装置の電源のオンオフにおける動作、等を制御する。すなわち、商用電源が供給された電源オフ状態（待機状態）において、リモートコントローラ１０の電源キーや前面パネルの電源キーが操作された場合、主回路用電源６をオフ状態からオン状態に移行させて、デコーダ側制御手段１５を動作させる制御等を行う。また、電源オン状態においては、ユーザがリモートコントローラ１０に入力した指示に従い、通信線４３を介して、デコーダ側制御手段１５に各種の指示を与えることにより、ＤＶＤ３の再生、再生の一時停止、早送り、早戻し等を行わせる。
【００３３】
なお、ＡＶデコーダ１３、Ｄ／Ａ変換回路１４、デコーダ側制御手段１５は、１つのＩＣ４として集積化されたブロックとなっている。
【００３４】
以下に、請求項との対応関係について説明する。
請求項記載の１本の制御用信号線は、デコーダ側制御手段１５から、ＩＣピンＰ１を介して、ＩＣ４の外部に引き出され、オン時用電源９と装置側制御手段５とに接続された制御用信号線４０となっている。また、デコーダ側制御手段１５は、請求項記載の制御信号出力手段となっている。また、装置側制御手段５は、請求項３記載の第１の制御信号受信手段となっており、オン時用電源９は、請求項３記載の第２の制御信号受信手段となっている。
【００３５】
また、第１の制御信号受信手段である装置側制御手段５にとって、制御信号が出力されない制御信号非出力状態とは、電源オン後において、制御用信号線４０に立ち下がりエッジが現れていない状態となっている。そして、制御信号非出力状態に対応する状態は、装置側制御手段５にとっては、デコーダ側制御手段１５からの情報（指示の受け付けが可能であることを示す情報）を受け取っていない状態となっている。また、制御信号が出力された制御信号出力状態とは、制御用信号線４０に立ち下がりエッジが現れた状態となっている。そして、制御信号出力状態に対応する状態は、装置側制御手段５にとっては、デコーダ側制御手段１５が送出した情報（指示の受け付けが可能であることを示す情報）を受け取った状態となっている。
【００３６】
また、第２の制御信号受信手段であるオン時用電源９にとって、制御信号が出力されない制御信号非出力状態とは、制御用信号線４０にＨレベルが送出されていない状態（Ｌレベルが送出された状態）となっている。そして、制御信号非出力状態に対応する状態は、オン時用電源９にとっては、読取機構部２に直流出力を送出しないオフ状態となっている。また、制御信号が出力された制御信号出力状態とは、制御用信号線４０にＨレベルが送出された状態となっている。そして、制御信号出力状態に対応する状態は、オン時用電源９にとっては、読取機構部２に直流出力を送出するオン状態となっている。すなわち、オン時用電源９は、制御用信号線４０がＬレベルとなるときには動作を停止し、制御用信号線４０がＨレベルとなるときには動作を行うようになっている。
【００３７】
図２は、実施形態の主要動作を示すフローチャート、図３は、実施形態の主要信号の変化を示す説明図である。必要に応じて同図を参照しつつ、実施形態の動作を説明する。
【００３８】
いま、商用電源が供給された状態の電源オフ状態にあるとする。この状態（時刻Ｔ１）においては、主回路用電源６が動作を停止しているので、制御用信号線４０はＬレベルとなっている。この状態において、リモートコントローラ１０の電源キー（図示を省略）を操作すると、入力回路７から装置側制御手段５に、信号線４４を介して、電源キーの操作を示す信号４４１が送出される（ステップＳ１）。この信号４４１を解読した装置側制御手段５は、主回路用電源６の制御を行う信号線４５にＨレベルｈ１を出力することによって、主回路用電源６をオフ状態からオン状態に移行させる（ステップＳ２）。
【００３９】
主回路用電源６がオン状態となり、動作電源が供給されたデコーダ側制御手段１５は、動作を開始する。このため、デコーダ側制御手段１５は、指示の受け付けが可能になったことを装置側制御手段５に知らせるため、制御用信号線４０に、パルス幅の短い（例えば、１ｍＳ等）パルス５０を送出する。つまり、制御用信号線４０に立ち下がりエッジ５１を送出する（ステップＳ３）。装置側制御手段５の側では、制御用信号線４０に立ち下がりエッジ５１が現れると、デコーダ側制御手段１５における指示の受け付けが可能になったと判定し、通信線４３に、電源オンの指示（４３１により示す）を送出する（ステップＳ４）。このため、デコーダ側制御手段１５は、制御用信号線４０にＨレベルｈ２を送出することでもって、オン時用電源９をオフ状態からオン状態に移行させる（ステップＳ５）。従って、以後では、ＤＶＤ３の再生を行うことが可能な状態となる。
【００４０】
なお、オン時用電源９は、パルス５０が送出されたとき、パルス５０の送出期間においてオン状態に移行するが、オン状態に移行する期間は短い。一方、オン時用電源９の直流出力の電圧は、オン状態になった後、数１００ｍＳといった期間において、徐々に所定電圧に向かって上昇する。従って、オン時用電源９は、パルス５０が送出されるときにも、直流出力を送出しない。つまり、パルス５０に関しては、Ｈレベルは実質的には無視され、立ち下がりエッジ５１のみが有効に作用することになる。
【００４１】
以上説明したように、電源キーを操作した場合の動作は、図  に示す従来技術の動作と同一となっている。しかし、この同一の制御を行うために占有する汎用の入出力ピンについては、従来技術においては、Ｐ１，Ｐ２の２つの入出力ピンとなっていたのが、入出力ピンＰ１の１つとなっている。従って、汎用の入出力ピンＰ２については、その他の信号のために振り当てることができるようになっている。
【００４２】
図４は、第２の実施形態の電気的構成を示すブロック線図である。同図を参照しつつ、第２の実施形態について説明する。
【００４３】
１本の制御用信号線６０１には、第１の回路部６１と第２の回路部６２と制御手段７１とが接続されており、第１の回路部６１および第２の回路部６２は、それぞれの回路構成に基づく動作を行うようになっている。なお、第１の回路部６１は、制御用信号線６０１に立ち上がりエッジが送出されると、所定動作を開始するようになっている。また、第２の回路部６２は、制御用信号線６０１に立ち下がりエッジが送出されると所定動作を開始するようになっている。また、第１の回路部６１と第２の回路部６２とは、動作電源が供給されたときでは、停止状態に設定されるようになっている。
【００４４】
制御手段７１は、ＩＣ７２内に集積化されたブロックとなっており、動作の停止状態にある第１の回路部６１をオン状態に移行させる制御と、動作の停止状態にある第２の回路部６２をオン状態に移行させる制御とを行う。このため、ＩＣ７２に設けられた汎用の入出力ピンＰ１１を介して、制御用信号線６０１に、第１の回路部６１を制御するための制御信号と、第２の回路部６２を制御するための制御信号とを送出する。直流電源７３は、制御手段７１によってオフ状態とオン状態とが制御されるようになっており、第１の回路部６１と第２の回路部６２とからなるブロック７４に動作電源を供給する。
【００４５】
以下に、請求項との対応関係について説明する。
制御手段７１は、請求項記載の制御信号出力手段となっている。また、第１の回路部６１は請求項４記載の第１の制御信号受信手段となっており、第２の回路部６２は請求項４記載の第２の制御信号受信手段となっている。このため、第１の回路部６１は、制御用信号線６０１に立ち上がりエッジが送出されると、制御信号非出力状態から制御信号出力状態になったとして、停止状態から動作状態に移行する。また、第２の回路部６２は、制御用信号線６０１に立ち下がりエッジが送出されると、制御信号非出力状態から制御信号出力状態になったとして、停止状態から動作状態に移行する。
【００４６】
図５は、第２の実施形態の状態の変化を示す説明図である。必要に応じて同図を参照しつつ、第２の実施形態の動作を説明する。
【００４７】
いま、直流電源７３がオフ状態にあるとする。また、制御手段７１は、制御用信号線６０１にＬレベルを送出しているとする。この状態において、制御手段７１は、直流電源７３をオン状態に移行させて、第１の回路部６１と第２の回路部６２とに動作電源を供給する（図５（Ａ）における時刻Ｔ６０）。このときでは、第１の回路部６１と第２の回路部６２とは停止状態にある。この状態において、制御手段７１は、制御用信号線６０１のレベルをＬレベルからＨレベルに変化させる（制御用信号線６０１に立ち上がりエッジを送出する）。このため、第１の回路部６１は停止状態から動作状態に移行する（時刻Ｔ６１）。
【００４８】
そして後、制御手段７１は、図示されない外部装置の条件等により定まる期間ｔ６１だけ待機を行った後、制御用信号線６０１のレベルをＨレベルからＬレベルに変化させる（制御用信号線６０１に立ち下がりエッジを送出する）。このため、第２の回路部６２は停止状態から動作状態に移行する（時刻Ｔ６２）。
【００４９】
上記した制御は、第１の回路部６１を第２の回路部６２より先に動作させる必要があるときの制御となっている。そして、第２の回路部６２を第１の回路部６１より先に動作させる必要があるときには、以下に示す制御を行う。
【００５０】
すなわち、制御手段７１は、直流電源７３がオフ状態にあるときに、制御用信号線６０１にＨレベル（図５（Ｂ）におけるｈ３）を送出する。この状態において、制御手段７１は、直流電源７３をオン状態に移行させて、第１の回路部６１と第２の回路部６２とに動作電源を供給する（時刻Ｔ６３）。このときでは、第１の回路部６１と第２の回路部６２とは停止状態にある。
【００５１】
この状態において、制御手段７１は、制御用信号線６０１のレベルをＨレベルからＬレベルに変化させる（制御用信号線６０１に立ち下がりエッジを送出する）。このため、第２の回路部６２は停止状態から動作状態に移行する（時刻Ｔ６４）。そして後、制御手段７１は、図示されない外部装置の条件等により定まる期間だけ待機を行った後、制御用信号線６０１のレベルをＬレベルからＨレベルに変化させる（制御用信号線６０１に立ち上がりエッジを送出する）。このため、第１の回路部６１は停止状態から動作状態に移行する（時刻Ｔ６５）。
【００５２】
すなわち、第２の実施形態においては、制御手段７１は、汎用の入出力ピンＰ１１を介して接続された１本の制御用信号線６０１でもって、つまり、１つの入出力ピンＰ１１を占有するのみで、第１の回路部６１と第２の回路部６２とを、個別に、任意の順序で、且つ、任意の時間の差異をもって、停止状態から動作状態に移行させることができるようになっている。
【００５３】
図６は、第３の実施形態の電気的構成を示すブロック線図である。同図を参照しつつ、第３の実施形態について説明する。
【００５４】
ＩＣ７７の汎用の入出力ピンＰ１６に一方の端部が接続された制御用信号線６０６は、回路基板７０１に設けられたコネクタ７０３、フレキシブルフラットケーブル（以下では、単にＦＦＣと称する）６０６ａ、および、コネクタ７０４を介して、回路基板７０２に導かれている。そして、回路基板７０２において、第３〜第５の回路部６３〜６５に接続されている。すなわち、１本の制御用信号線６０６には、第３〜第５の３つの回路部６３〜６５と制御手段７６とが接続されている（ＦＦＣ６０６ａは、その他の図示されない信号線のためにも使用されるようになっている）。
【００５５】
第３〜第５の回路部６３〜６５のそれぞれは、回路構成に対応した動作を行う。また、動作電源を供給された状態では、停止状態に設定される。また、第３の回路部６３は、制御用信号線６０６に立ち上がりエッジが送出されると所定動作を開始し、第４の回路部６４は、制御用信号線６０６に立ち下がりエッジが送出されると所定動作を開始する。また、第５の回路部６５は、制御用信号線６０６に、所定幅より広いＨレベルのパルスが送出されると所定動作を開始する。
【００５６】
制御手段７６は、ＩＣ７７内に集積化されたブロックとなっており、動作の停止状態にある第３の回路部６３を動作状態に移行させる制御と、動作の停止状態にある第４の回路部６４を動作状態に移行させる制御と、動作の停止状態にある第５の回路部６５を動作状態に移行させる制御とを行う。このため、ＩＣ７７に設けられた汎用の入出力ピンＰ１６を介して、制御用信号線６０６に、第３の回路部６３を制御するための制御信号と、第４の回路部６４を制御するための制御信号と、第５の回路部６５を制御するための制御信号とを送出する。
【００５７】
以下に、請求項との対応関係について説明する。
制御手段７６は、請求項記載の制御信号出力手段となっている。また、第３の回路部６３は請求項５記載の第１の制御信号受信手段、第４の回路部６４は請求項５記載の第２の制御信号受信手段、第５の回路部６５は、請求項５記載の第３の制御信号受信手段となっている。このため、第３の回路部６３は、制御用信号線６０６に立ち上がりエッジが送出されると、制御信号非出力状態から制御信号出力状態になったとして、停止状態から動作状態に移行する。また、第４の回路部６４は、制御用信号線６０６に立ち下がりエッジが送出されると、制御信号非出力状態から制御信号出力状態になったとして、停止状態から動作状態に移行する。また、第５の回路部６５は、制御用信号線６０６に、所定幅より広いＨレベルのパルスが送出されると、制御信号非出力状態から制御信号出力状態になったとして、停止状態から動作状態に移行する。
【００５８】
図７は、第３の実施形態の状態の変化を示す説明図である。必要に応じて同図を参照しつつ、第３の実施形態の動作を説明する。
【００５９】
いま、第３〜第５の回路部６３〜６５は停止状態にあるとする。また、制御用信号線６０６にはＬレベルが送出されているとする（図７（Ａ）参照）。この状態において、制御手段７６は、制御用信号線６０６のレベルをＬレベルからＨレベルに変化させる。つまり、制御用信号線６０６に立ち上がりエッジ８１を送出する。このため、第３の回路部６３は停止状態から動作状態に移行する（時刻Ｔ６６）。
【００６０】
この後、制御手段６６は、期間ｔ６６だけ待機を行った後、制御用信号線６０６のレベルをＨレベルからＬレベルに変化させる。つまり、制御用信号線６０６に立ち下がりエッジ８２を送出する。このため、第４の回路部６４は停止状態から動作状態に移行する（時刻Ｔ４）。一方、第５の回路部６５にとっては、制御用信号線６０６に送出されたＨレベルのパルス８３は、所定幅（期間ｔ６７）より短いため、動作状態に移行しない。
【００６１】
すなわち、第３の回路部６３を停止状態から動作状態に移行させ、次いで、第４の回路部６４を停止状態から動作状態に移行させるとともに、第５の回路部６５を停止状態に維持するときには、制御手段７６は、制御用信号線６０６に、第５の回路部６５がパルスを送出された見なす期間ｔ６７より幅の狭いパルス（幅が期間ｔ６６であるパルス）８３を制御用信号線６０６に送出する。
【００６２】
一方、第３〜第５の３つの回路部６３〜６５を停止状態から動作状態に移行させる場合では、図７（Ｂ）に示したように、制御用信号線６０６に、第５の回路部６５がパルスが送出されたと見なす期間ｔ６７より幅の広いパルス（幅が期間ｔ６８であるパルス）８４を送出する。このときでは、パルス８４の送出の開始時刻Ｔ６８において、第３の回路部６３が停止状態から動作状態に移行する。また、第５の回路部６５は、時刻Ｔ６８から期間ｔ６７が経過した時刻Ｔ６９において、停止状態から動作状態に移行する。また、第４の回路部６４は、パルス８４の送出が完了した時刻Ｔ７０において、停止状態から動作状態に移行する。
【００６３】
すなわち、第３の実施形態においては、回路基板７０１と回路基板７０２との間に設けられた１本の制御用信号線６０６でもって、制御手段７６が、制御手段７６が設けられた回路基板７０１とは異なる回路基板７０２に設けられた第３〜第５の３つの回路部６３〜６５の動作の開始を、個別に制御するようになっている。このため、回路基板７０１と回路基板７０２との間を接続するＦＦＣ６０６ａやコネクタ７０３，７０４のピン数を少ないものとすることができるようになっている。
【００６４】
なお、本発明は上記実施形態に限定されず、制御信号に用いるパルスについては、Ｈレベルのパルスとした場合について説明したが、Ｌレベルのパルスとすることもできる。
【００６５】
また、制御信号非出力状態に対応する状態と制御信号出力状態に対応する状態とについては、オフ状態とオン状態、あるいは、停止状態と動作状態とした場合について説明したが、互いに異なる任意の２つの状態の一方を制御信号非出力状態に対応する状態とし、他方を制御信号出力状態に対応する状態とすることができる。
【００６６】
【発明の効果】
以上説明したように、本発明では、装置側制御手段は制御用信号線に送出された２値信号に立ち下がりエッジが現れたときにはデコーダ側制御手段が指示の受け付けが可能になったと判定し、オン時用電源は制御用信号線に送出された２値信号がＨレベルとなるときにはオン状態となる構成としている。且つ、デコーダ側制御手段は、主回路用電源から動作電源の供給を受けて動作状態に移行したときには、制御用信号線に送出する２値信号のレベルをＨレベルからＬレベルに変化させることでもって装置側制御手段に指示の受け付けが可能になったことを知らせた後、装置側制御手段から電源オンの指示を与えられたときには、制御用信号線に送出する２値信号のレベルをＬレベルからＨレベルとすることによってオン時用電源をオフ状態からオン状態に移行させるようになっている。すなわち、動作電源の供給を受け、動作を開始したデコーダ側制御手段は、電源オンの初期動作として、指示の受け付けが可能であることを装置側制御手段に知らせる通知動作を行うとともに、オン時用電源をオフ状態からオン状態に移行させる制御動作を行うが、この２種の動作のための使用される信号線の数は、１本の制御用信号線のみとなっている。このため、制御信号の判別のための回路の複雑化を招くことなく、電源オン状態に移行したときにおいて好適となる制御を行うときにも、制御信号のために占有する汎用の入出力ピンの数を低減することができる。
【００６７】
また本発明では、制御信号出力手段は、ＨレベルとＬレベルとの２種のレベルに変化する信号である２値信号を制御用信号線に送出することでもって、複数の制御信号受信手段のそれぞれに対して、制御信号が出力された状態である制御信号出力状態となっているのか、あるいは制御信号が出力されない状態である制御信号非出力状態になっているのかを示す構成となっている。且つ、複数の制御信号受信手段のそれぞれに対応する制御信号を、２値信号における立ち上がりエッジ、または２値信号における立ち下がりエッジ、または２値信号におけるＨレベル、または２値信号におけるＬレベル、または２値信号における所定範囲の幅のパルスのうちの１つに対応付けるとともに、複数の制御信号受信手段のそれぞれに対応付けられた制御信号を互いに異ならせ、複数の制御信号受信手段のそれぞれは、対応付けられた制御信号が制御用信号線に送出されたことを検出したときには、制御信号非出力状態に対応する状態から制御信号出力状態に対応する状態に移行するようになっている。従って、制御用信号線に、制御しようとする制御信号受信手段に対応づけられた制御信号を送出すると、対応する制御信号受信手段が、制御信号非出力状態に対応する状態から制御信号出力状態に対応する状態に移行するので、制御信号の判別のための回路の複雑化を招くことなく、制御のために占有する汎用の入出力ピンの数を低減することができる。
【００６８】
またさらに、制御信号受信手段の数を第１の制御信号受信手段と第２の制御信号受信手段との２つとし、第１の制御信号受信手段の制御信号には２値信号における立ち下がりエッジを対応付け、第２の制御信号受信手段の制御信号には２値信号におけるＨレベルを対応付けている。従って、第１の制御信号受信手段を、制御信号非出力状態に対応する状態から制御信号出力状態に対応する状態に移行させるには、制御用信号線に立ち下がりエッジを送出するのみでよい。また、第２の制御信号受信手段を、制御信号非出力状態に対応する状態から制御信号出力状態に対応する状態に移行させるには、制御用信号線にＨレベルを送出するのみでよいので、制御信号の生成を簡単化することができる。
【００６９】
またさらに、制御信号受信手段の数を第１の制御信号受信手段と第２の制御信号受信手段との２つとし、第１の制御信号受信手段の制御信号には２値信号における立ち上がりエッジを対応付け、第２の制御信号受信手段には２値信号における立ち下がりエッジを対応付けている。従って、第１の制御信号受信手段を、制御信号非出力状態に対応する状態から制御信号出力状態に対応する状態に移行させるには、制御用信号線に立ち上がりエッジを送出するのみでよい。また、第２の制御信号受信手段を、制御信号非出力状態に対応する状態から制御信号出力状態に対応する状態に移行させるには、制御用信号線に立ち下がりエッジを送出するのみでよいので、制御信号の生成を簡単化することができる。
【００７０】
またさらに、制御信号受信手段の数を第１の制御信号受信手段と第２の制御信号受信手段と第３の制御信号受信手段との３つとし、第１の制御信号受信手段の制御信号には２値信号における立ち上がりエッジを対応付け、第２の制御信号受信手段の制御信号には２値信号における立ち下がりエッジを対応付け、第３の制御信号受信手段の制御信号には２値信号における所定幅より広いパルスを対応付けている。従って、第１の制御信号受信手段を、制御信号非出力状態に対応する状態から制御信号出力状態に対応する状態に移行させるには、制御用信号線に立ち上がりエッジを送出するのみでよい。また、第２の制御信号受信手段を、制御信号非出力状態に対応する状態から制御信号出力状態に対応する状態に移行させるには、制御用信号線に立ち下がりエッジを送出するのみでよい。また、第３の制御信号受信手段を、制御信号非出力状態に対応する状態から制御信号出力状態に対応する状態に移行させるには、制御用信号線に、所定幅より広いパルスを送出するのみでよいので、制御信号の生成を簡単化することができる。
【図面の簡単な説明】
【図１】本発明に係る電子装置の第１の実施形態を適用したＤＶＤ再生装置の電気的構成を示すブロック線図である。
【図２】第１の実施形態の主要動作を示すフローチャートである。
【図３】第１の実施形態の主要部の変化を示す説明図である。
【図４】第２の実施形態の電気的構成を示すブロック線図である。
【図５】第２の実施形態の主要変化を示す説明図である。
【図６】第３の実施形態の電気的構成を示すブロック線図である。
【図７】第３の実施形態の主要変化を示す説明図である。
【図８】従来技術の電気的構成を示すブロック線図である。
【符号の説明】
３  ＤＶＤ
５  装置側制御手段
６  主回路用電源
９  オン時用電源
１３  ＡＶデコーダ
１５  デコーダ側制御手段
４０  制御用信号線
５１  立ち下がりエッジ
８１  立ち上がりエッジ
８２  立ち下がりエッジ
ｈ２  Ｈレベル
【図１】
2004348781.tif 000003
【図２】
2004348781.tif 000004
【図３】
2004348781.tif 000005
【図４】
2004348781.tif 000006
【図５】
2004348781.tif 000007
【図６】
2004348781.tif 000008
【図７】
2004348781.tif 000009
【図８】
2004348781.tif 000010